(57)【要約】      （修正有）【課題】多方位に調整可能な扇風機を提供する。【解決手段】多方位に調整可能な扇風機で、主に、扇風機の主体に、複数層の独立した空間を隔て、この独立空間に、それぞれ、風向可動部分を組み合わせて、共同で扇風機の外殻を構成する。各風向可動部分は入風口と出風口を設置し、出風口は、更に、仰角が調整可能な導風ブレードを設置する。各風向可動部分は、独立して、主体に対し旋転し、各風向可動部分の風向を独立して調整する。【選択図】図１
0003144308.tif 000002
【実用新案登録請求の範囲】
【請求項１】
多方位扇風機であって、
複数の支柱を有し、前記支柱は、複数の異なる角度の仕切り板を共同で設置し、前記仕切りにより、複数の層空間に隔てる主体と、
モーターと、前記モーターに連接される中心軸と、前記中心軸に組設されるファンブレードと、からなるファンモジュールと、
前記主体の各層空間に可動で組み合わされ、前記主体に対し旋転し、入風口と出風口とを設置し、前記出風口は複数の導風ブレードを設置して、共同で扇風機の外殻を構成する複数の風向可動部分と、
からなることを特徴とする扇風機。
【請求項２】
前記風向可動部分の内側壁は、前記出風口に近い遮風片を設置し、かつ、前記導風ブレードは仰角が調整できることを特徴とする請求項１に記載の扇風機。
【請求項３】
前記風向可動部分の上端は弾性定位素子を設置し、且つ、前記風向可動部分の遮風片下面円周に、前記弾性定位素子と嵌合する複数の歯部を設置することを特徴とする請求項１、或いは、２に記載の扇風機。
【考案の詳細な説明】
【技術分野】
【０００１】
本考案は、同時に、複数の異なる方向に風向を変える扇風機に関するものである。
【背景技術】
【０００２】
早期の扇風機は、風向角度が水平揺動式で、スイッチを押すと、扇風機が左右に往復運動するものである。
【０００３】
現在、更に、出風口を変更できる扇風機があり、扇風機の出風口に、中心で旋転するブレード盤を設置し、ブレード盤上に複数の固定角度の導風ブレードを設置し、ブレード盤旋転過程で、導風ブレードの角度を不断に変化させ、風向を異なる方向に導向する。
【０００４】
前述の公知の扇風機は、揺動と旋転の方式で、風向角度を変化させる時、一時間で、一方向にしか風が向かず、また、風向角度が小さく、扇風機周辺の多数の位置の人に同時に風を当てることができない。
【考案の開示】
【考案が解決しようとする課題】
【０００５】
本考案の目的は、公知の扇風機が揺動、或いは、旋転の方式で、風向角度を変え、一時間で、一方向にしか風が向かず、また、風向角度が小さく、扇風機周辺の人に同時に分散できない問題を解決する新規の扇風機を提供することにある。
【課題を解決するための手段】
【０００６】
本考案の特徴は、直立式ファンの外殻は、複数の独立した風向可動部分に分割され、各風向可動部分は独立して、扇風機の主体に対して旋転し、且つ、それぞれ、独立した入風口と出風口を設置する。よって、各風向可動部分は、独立して出風口の方向を調整でき、多方位の出風口で、扇風機周囲の人が同時に、扇風機の風に当たることができる。
【０００７】
本考案のもう一つの特徴は、風向可動部分は独立して旋転し、主体は旋転が制御され、使用者は、多種の吹き出し形態を選択することができる。
【０００８】
本考案のもう一つの特徴は、風向可動部分は、人力で旋転させ、且つ、主体に対し旋転するとき、角度定位効果を有し、使用者が風向角度を設定しやすい。
【考案の効果】
【０００９】
本考案の扇風機は、各風向可動部分が独立して出風口の方向を調整でき、多方位の出風口で、扇風機周囲の人が同時に、扇風機の風に当たることができる。
【考案を実施するための最良の形態】
【００１０】
図１は、本考案の扇風機１を示す図で、直立式部分状の扇風機である。本体は複数の独立した風向可動部分２を有し、各風向可動部分２は独立した入風口２３と出風口２１を設置する。出風口２１は、複数の仰角が調整できる導風ブレード２２を設置し、それぞれ、各風向可動部分２を旋転し、出風方向をそれぞれ設定することができる。この他、本考案の風向可動部分は、人力により旋転する。扇風機１の下端は底座１４を設置し、扇風機本体が底座１４上に設置され、内部に設けられた駆動機構により制御されて旋転する。駆動機構は、公知の直立式扇風機の駆動機構と相同なので、詳述しない。本体の上端に操作パネル１２を設置し、側壁にリモコンセンサー１３を設置し、使用者は、リモコン、或いは、人力により操作制御する。
【００１１】
図２を参照すると、本考案の各風向可動部分２が扇風機本体から分離された後の構造を示し、扇風機本体は、複数の支柱１１から構成される主体を有し、主体内は、複数のファンブレード３３を有するファンモジュール３を装着している。図３で示されるように、主体は複数の支柱１１からなり、支柱１１の間に、複数の異なる角度の仕切り板１５を設置し、この仕切り板１５中間に、ファンブレード３３が通過する通孔を有する。各仕切り板１５は、主体を複数の高度が異なる空間に隔て、底座１４内部の駆動機構は、主体全部を旋転させることができる。
【００１２】
図４は、本考案のファンブレードモジュール３を示す図で、モーター３１、モーター３１に連接される中心軸３２、及び、中心軸３２に組設された複数のブレード３３、からなる。ファンモジュール３は、主体内に装着され、各組のファンブレード３３は、主体の各層空間中に位置し、モーター３１は底座１４中に装着される。
【００１３】
再び、図２を参照すると、本考案の風向可動部分２は部分体で、それぞれ、主体の各層空間に可動で組み合わされ、風向可動部分２は主体に対し旋転する。風向可動部分２は、それぞれ、入風口２３と出風口２１を設置する。出風口２１は、更に、複数の導風ブレード２２を設置し、これらの風向可動部分２は主体に組み合わされた後、共同で扇風機の外殻を構成する。風向可動部分２の上端は、少なくとも一つの弾性定位素子２５を設置し、主体の仕切り板１５下面円周に、弾性定位素子２５と嵌合する複数の歯部１６を設置する。風向可動部分２が主体の各層空間に装着された後、弾性定位素子２５と歯部１６を嵌合し（図５で示される）、風向可動部分２を旋転させると、弾性定位素子２５が歯部１６と弾性作用を生じて、旋転停止時に、角度定位の効果が得られる。風向可動部分２の内径壁面の出風口２１に近接する一側は遮風片２４を設置し、遮風片２４は、気流を出風口２１から円滑に流出するよう導引する。
【図面の簡単な説明】
【００１４】
【図１】本考案の外観立体図である。
【図２】本考案の風向可動部分を取り外した時の構造立体図である。
【図３】本考案の主体の立体図である。
【図４】本考案のファンモジュールの立体図である。
【図５】本考案の風向可動部分立体図である。
【符号の説明】
【００１５】
１  扇風機
２  風向可動部分
１１  支柱
１２  操作パネル
１３  リモコンセンサー
１４  底座
１５  仕切り板
１６  弾性定位素子
２１  出風口
２２  導風ブレード
２３  入風口
２４  遮風片
２５  弾性定位素子
３１  モーター
３２  中心軸
３３  ファンブレード
【図１】
0003144308.tif 000003
【図２】
0003144308.tif 000004
【図３】
0003144308.tif 000005
【図４】
0003144308.tif 000006
【図５】
0003144308.tif 000007